(57)【要約】【課題】通話終了後にどの充電台に子機を載置させるかを悩まずに判断することができるコードレス電話機を提供すること。【解決手段】本発明のコードレス電話機は、親機、子機および充電台を備える。子機は、通信回線の切断を知らせる切断信号を無線送信する無線送信手段を有している。また、充電台は、子機の載置の有無を検出する載置検出手段と、載置検出手段により子機が載置されていないことを検出してから切断信号の受信を開始する無線受信手段と、無線受信手段が切断信号を受信したときに当該受信を音または光の出力により外部に報知する第１の報知手段とを有している。【選択図】図１
2008028821.tif 000002
【特許請求の範囲】
【請求項１】
通信回線に接続されている親機と、
前記親機に無線接続されている子機と、
前記子機を載置させるとともに、前記載置の際に前記子機に内蔵されたバッテリを充電する充電台と
を備えているコードレス電話機であって、
前記子機は、前記通信回線の切断を知らせる切断信号を無線送信する無線送信手段を有しており、
前記充電台は、前記子機の載置の有無を検出する載置検出手段と、前記載置検出手段により前記子機が載置されていないことを検出してから前記切断信号の受信を開始する無線受信手段と、前記無線受信手段が前記切断信号を受信したときに当該受信を音または光の出力により外部に報知する第１の報知手段とを有している
ことを特徴とするコードレス電話機。
【請求項２】
前記子機は、前記切断信号の送信開始を入力する入力手段を有している
ことを特徴とする請求項１に記載のコードレス電話機。
【請求項３】
前記子機は、前記切断信号の送信開始に基づいて音または光の出力により外部に報知する第２の報知手段を有している
ことを特徴とする請求項１または請求項２に記載のコードレス電話機。
【請求項４】
前記第２の報知手段は、前記切断信号に基づいて前記第１の報知手段による報知と同期して報知する
ことを特徴とする請求項３に記載のコードレス電話機。
【請求項５】
前記載置検出手段に用いられる検出子は、前記バッテリの充電の際に子機に接触する接触子である
ことを特徴とする請求項１から請求項４のいずれか１項に記載のコードレス電話機。
【請求項６】
前記無線送信手段および前記無線受信手段は、送信または受信する前記切断信号の周波数を切り替える周波数切替手段をそれぞれ有している
ことを特徴とする請求項１から請求項５のいずれか１項に記載のコードレス電話機。
【請求項７】
前記第１の報知手段および前記第２の報知手段は、前記報知を開始してから終了するまでの継続時間を切り替える報知継続時間切替手段を有している
ことを特徴とする請求項１から請求項６のいずれか１項に記載のコードレス電話機。
【請求項８】
前記無線送信手段および前記無線受信手段は、ブルートゥース技術を用いて形成された無線通信手段である
ことを特徴とする請求項１から請求項７のいずれか１項に記載のコードレス電話機。
【請求項９】
前記第１の報知手段は、前記バッテリの充電が開始されたときに報知を停止させる
ことを特徴とする請求項１から請求項８のいずれか１項に記載のコードレス電話機。
【発明の詳細な説明】
【技術分野】
【０００１】
本発明は、コードレス電話機に係り、特に、コードレス電話機が複数の子機および充電台を備える際に好適に利用できるコードレス電話機に関する。
【背景技術】
【０００２】
一般的に、コードレス電話機は、親機から離れて子機を使用することができるので、ホームユースやオフィスユースなど様々なシーンにおいて広く用いられている。
【０００３】
従来のコードレス電話機は、ホームユースの場合、通信回線の接続装置となる親機に無線接続された子機を２台程度備えている。この子機は、無線接続機能を備えたハンドセットであり、無線接続を行なうためのバッテリを有している。そして、このバッテリを充電するため、子機は充電機能を備える充電台にそれぞれ載置されている。
【０００４】
コードレス電話機の子機は、バッテリが充電されていないと使用することができない。そのため、通話終了後の子機は、一定時間経過後、スピーカから警告音を出力させたり、発光素子による点滅を行なったりすることにより、子機使用者に対して充電台へ載置することを促していた（特許文献１を参照）。
【０００５】
【特許文献１】特開平１１−１２７２２７号公報
【発明の開示】
【発明が解決しようとする課題】
【０００６】
しかしながら、従来のコードレス電話機は、ホームユースだけでなく、オフィスユースにおいても用いられる。オフィスユースの場合、子機が１０台以上の台数になることもある。そのため、通話終了後に子機をどの充電台に載置させるかを忘れてしまったり特定できなかったりすることが多く、どの充電台に子機を載置させて良いか悩んでしまうことが往々にしてあった。
【０００７】
特に、他人から子機を手渡されて通話を行なった場合、通話者はどの充電台に載置させるかを自己の記憶を頼りに判断することができない。したがって、その場合、電話を取り次いでくれた他人に聞くか、載置されていない充電台を一台ずつ目視により確認して探さなければならず、非常に煩わしいものである。また、充電台を探したり、どの充電台に載置させるか悩んだりする時間も無駄である。
【０００８】
さらに、通話終了後の子機は、一定時間経過すると、子機の使用者に対して充電台へ載置することを音または光の出力により促し続ける。子機使用者がどの充電台に載置させるか即座に特定できないときには子機の音声出力または発光が充電台に子機を載置させるまで続くので、子機使用者は通話終了時から時間が経過するほど不快感を受けやすい。
【０００９】
そこで、本発明はこれらの点に鑑みてなされたものであり、通話終了後にどの充電台に子機を載置させるかを悩まずに判断することができるコードレス電話機を提供することを本発明の目的としている。
【課題を解決するための手段】
【００１０】
前述した目的を達成するため、本発明のコードレス電話機は、その第１の態様として、通信回線に接続されている親機と、親機に無線接続されている子機と、子機を載置させるとともに、載置の際に子機に内蔵されたバッテリを充電する充電台とを備えている。そして、子機は、通信回線の切断を知らせる切断信号を無線送信する無線送信手段を有しており、充電台は、子機の載置の有無を検出する載置検出手段と、載置検出手段により子機が載置されていないことを検出してから切断信号の受信を開始する無線受信手段と、無線受信手段が切断信号を受信したときに当該受信を音または光の出力により外部に報知する第１の報知手段とを有していることを特徴としている。
【００１１】
本発明の第１の態様のコードレス電話機によれば、子機の載置の有無および切断信号の受信状況に基づいて充電台から音や光を出力させることができるので、通話が終了して子機を充電台に戻す際、その子機が載置されていた充電台を音声出力または発光を頼りに探すことができる。
【００１２】
本発明の第２の態様のコードレス電話機は、第１の態様のコードレス電話機において、子機は、切断信号の送信開始を入力する入力手段を有していることを特徴としている。
【００１３】
本発明の第２の態様のコードレス電話機によれば、通話者の入力動作により切断信号の送信を任意に開始させることができるので、通話終了時のみでなく、ある程度の時間が経過してから子機が載置されていた充電台を探す時においても、音声出力または発光を頼りにその子機が載置されていた充電台を探すことができる。
【００１４】
本発明の第３の態様のコードレス電話機は、第１または第２の態様のコードレス電話機において、子機は、切断信号の送信開始に基づいて音または光の出力により外部に報知する第２の報知手段を有していることを特徴としている。
【００１５】
本発明の第３の態様のコードレス電話機によれば、通話終了後に子機が充電台に載置されていない場合、その子機から音や光を出力させることができるので、通話者に対して子機を充電台に載置するように促すことができる。
【００１６】
本発明の第４の態様のコードレス電話機は、第３の態様のコードレス電話機において、第２の報知手段は、切断信号に基づいて第１の報知手段による報知と同期して報知することを特徴としている。
【００１７】
本発明の第４の態様のコードレス電話機によれば、子機および充電台に係る音または光の出力が同期しているので、音声出力または発光している充電台が複数個あったとしても、その同期状態を頼りに充電台を探すことができる。
【００１８】
本発明の第５の態様のコードレス電話機は、第１から第４のいずれか１の態様のコードレス電話機において、載置検出手段に用いられる検出子は、バッテリの充電の際に子機に接触する接触子であることを特徴としている。
【００１９】
本発明の第５の態様のコードレス電話機によれば、検出子および接触子を別個独立に形成することなく共用することができるので、製造コストの増加の原因となるコードレス電話機の形状変更および信頼性を低下させる原因となる接点素子の増加を防止することができる。
【００２０】
本発明の第６の態様のコードレス電話機は、第１から第５のいずれか１の態様のコードレス電話機において、無線送信手段および無線受信手段は、送信または受信する切断信号の周波数を切り替える周波数切替手段をそれぞれ有していることを特徴としている。
【００２１】
本発明の第６の態様のコードレス電話機によれば、子機およびその子機を載置させる充電台を１組の子機セットとし、各組の子機セットに応じて送信または受信する切断信号の周波数を周波数切替手段により切り替えることができるので、充電台の個数が多数あったとしても、その子機をどの充電台に載置させるかを確実に特定することができる。
【００２２】
本発明の第７の態様のコードレス電話機は、第１から第６のいずれか１の態様のコードレス電話機において、第１の報知手段および第２の報知手段は、報知を開始してから終了するまでの継続時間を切り替える報知継続時間切替手段を有していることを特徴としている。
【００２３】
本発明の第７の態様のコードレス電話機によれば、充電台および子機からの報知を切断信号の受信から一定時間内のみに制限することができるので、通話終了後に子機を充電台に載置させなかったとしても、長時間の報知により不快に感じ始める音声出力や発光を一定時間経過後に自動的に停止させることができる。また、長時間の報知により生じる無駄な消費電力を抑えることができる。さらに、第２の態様のコードレス電話機のごとく、第７の態様のコードレス電話機が切断信号の送信開始を入力する入力手段をも有している場合、その入力手段により切断信号の送信開始を入力すれば、一定時間経過後に自動的に報知が停止したとしても、充電台からの報知を再度行なうことができる。
【００２４】
本発明の第８の態様のコードレス電話機は、第１から第７のいずれか１の態様のコードレス電話機において、無線送信手段および無線受信手段は、ブルートゥース技術を用いて形成された無線通信手段であることを特徴としている。
【００２５】
本発明の第８の態様のコードレス電話機によれば、無線送信手段および無線受信手段を小型および軽量にすることができるとともに、その消費電力を少なくすることができるので、コードレス電話機の設計を大きく変更することなく、前述した本発明の作用を享受することができる。
【００２６】
本発明の第９の態様のコードレス電話機は、第１から第８のいずれか１の態様のコードレス電話機において、第１の報知手段は、バッテリの充電が開始されたときに報知を停止させることを特徴としている。
【００２７】
本発明の第９の態様のコードレス電話機によれば、バッテリの充電開始に連動させて充電台の報知を自動的に停止させることができるので、子機使用者は子機を充電台に載置させるだけで充電台の報知を停止させることができる。
【発明の効果】
【００２８】
本発明のコードレス電話機によれば、通話が終了して子機を充電台に戻す際、その子機が載置されていた充電台が通話終了後に音声出力または発光し、その音声出力または発光を頼りにその充電台を探すことができるので、通話終了後にどの充電台に子機を載置させるかを悩まずに判断することができるという効果を奏する。
【発明を実施するための最良の形態】
【００２９】
以下、図１から図３を用いて、本発明のコードレス電話機をその一実施形態により説明する。
【００３０】
図１は、本実施形態のコードレス電話機１を概念的に示すブロック図である。本実施形態のコードレス電話機１は、図１に示すように、親機１０、子機２０および充電台３０を備えている。
【００３１】
親機１０は、通信回路１２および無線接続回路１１を有している通信接続装置である。通信回路１２は電話線１５を介して通信回線に接続されており、無線接続回路１１および有線受話器１４に通信データを送受信するように形成されている。無線接続回路１１は、通信データの送受信を無線接続により行なうための高周波回路であり、無線接続回路１１に接続されたアンテナ１３から子機２０に接続させるための電波を送受信するように形成されている。
【００３２】
子機２０は、無線接続回路２１、バッテリ２２、送信回路２３、報知回路２４、操作ボタン２６および制御回路２５を有している。
【００３３】
無線接続回路２１は、親機１０の無線接続回路１１と同様、通信データの送受信を無線接続により行なうための高周波回路であり、無線接続回路２１に接続されたアンテナ２９から親機１０に接続させるための電波を送受信するように形成されている。
【００３４】
バッテリ２２は、無線接続回路２１、送信回路２３、報知回路２４および制御回路２５を駆動させるための駆動源であり、接続された金属製の２個の接触子２２ａ、２２ｂを介して充電することができるように形成されている。
【００３５】
送信回路２３は、通信回線の切断を知らせる切断信号となる特定の周波数の電波を発生させる高周波回路であり、本発明の無線送信手段として用いられている。本実施形態の送信回路２３は、ブルートゥース技術を用いて形成されており、本発明の無線通信手段として用いられている。
【００３６】
報知回路２４は、スピーカ２７から音を出力させたり、発光素子２８を点滅もしくは点灯させたりする回路であり、本発明の第２の報知手段として用いられている。また、報知回路２４は、送信回路２３から送信された切断信号を受信してから一定時間経過後（例えば３分後）に、充電台３０の報知回路３４による音声出力および発光と同期させながら音声出力および発光が行なわれるように形成されている。
【００３７】
操作ボタン２６は、０〜９の数字および通話開始マーク（受話器が持ち上げられたアイコン）や通話終了マーク（受話器が元の位置に戻されたアイコン）などの記号が各表面に印字された複数の入力用ボタンである。この操作ボタン２６は、電話番号を入力するだけでなく、切断信号の送信開始を入力したり、切断信号の周波数を切り替えたり、報知開始時間および報知継続時間を設定したりすることができるように形成されている。そのため、この操作ボタン２６は、制御回路２５とともに、本発明の入力手段、周波数切替手段および報知継続時間切替手段として用いられている。なお、この操作ボタン２６は、報知に係る音量や発光量の調整をも行えることが好ましい。
【００３８】
制御回路２５は、無線接続回路２１、バッテリ２２、送信回路２３、報知回路２４および操作ボタン２６に接続されており、親機１０との無線接続、駆動電圧の供給、切断信号の送信および報知を制御する回路となっている。また、この制御回路２５は、操作ボタン２６からの入力により、切断信号の周波数、報知開始時間および報知継続時間を任意に切り替える制御を行なうように形成されている。
【００３９】
図２は、子機２０の制御回路２５による制御フローを示している。図２に示すように、子機２０の制御回路２５は、無線接続回路２１の接続状況により通話終了を検出すると（Ｓ１）、操作ボタン２６の操作により切断信号の送信開始が入力されたか否かを確認する（Ｓ２）。そして、制御回路２５によって制御された送信回路２３は、操作ボタン２６（例えば通話終了時に操作する通話終了ボタンなど）からの入力を待って切断信号の送信を開始する（Ｓ３）。
【００４０】
切断信号の送信開始から一定時間（例えば３分）経過すると（Ｓ４）、制御回路２５によって制御された報知回路２４は音声出力および発光による報知を開始する（Ｓ５）。また、切断信号の送信開始からさらに一定時間（例えば切断信号の送信開始から５分）経過すると（Ｓ６）、制御回路２５に制御された報知回路２４は報知を停止する（Ｓ７）。ここで、報知停止後において操作ボタン２６の操作により切断信号の送信開始が再度入力されると（Ｓ８）、切断信号の送信が再度開始される（Ｓ３）。また、操作ボタン２６の操作により切断信号の送信開始が入力されないと（Ｓ８）、制御回路２５による制御は終了する。
【００４１】
切断信号の送信が最初にもしくは再度開始された後（Ｓ３）、切断信号の送信開始から一定時間が経過する前（Ｓ４およびＳ６）においては、制御回路２５はバッテリ２２の充電が開始されたか否かを確認する（Ｓ９）。バッテリ２２の充電が開始された場合（Ｓ９）、子機２０が充電台３０に載置されているので、制御回路２５に制御された報知回路２４は報知を停止し（Ｓ１０）、制御回路２５による制御は終了する。また、一定時間が経過する前（Ｓ４およびＳ６）にバッテリ２２の充電が開始されていなければ（Ｓ９）、切断信号の送信開始から一定時間経過後（Ｓ４）、報知回路２４は報知を開始する（Ｓ５）。その後においては、前述した内容と同様の制御が行なわれる（Ｓ３〜Ｓ１０）。
【００４２】
充電台３０の筐体３１は、図１に示すように、子機２０の下部を把持しながら載置させる形状に形成されている。この充電台３０は、その筐体３１の内部に充電回路３２、受信回路３３、報知回路３４および制御回路３５を有している。
【００４３】
充電回路３２は、外部電源から供給線３２ｃを介して供給される駆動電圧を金属製の２個の接触子３２ａ、３２ｂを介して子機２０のバッテリ２２に供給するとともに、充電台３０の制御回路３５を介してその受信回路３３、報知回路３４および制御回路３５にそれらの駆動電圧を供給するように形成されている。この充電台３０の接触子３２ａ、３２ｂは充電台３０に子機２０が載置された際に子機２０の接触子２２ａ、２２ｂと接触する位置に形成されている。つまり、充電台３０の接触子３２ａ、３２ｂは子機２０のバッテリ２２の充電開始により子機２０の載置を検出することができるので、本発明の「載置検出手段に用いられる検出子」として用いられている。したがって、本実施形態の充電回路３２は、その制御回路３５とともに、本発明の載置検出手段として用いられる。
【００４４】
受信回路３３は、切断信号として用いられる特定の周波数の電波をアンテナ３９を介して受信する回路であり、本発明の無線受信手段として用いられている。本実施形態の受信回路３３は、ブルートゥース技術を用いて形成されており、本発明の無線通信手段として用いられている。
【００４５】
報知回路３４は、受信回路３３が切断信号を受信してから即座にまたは一定時間経過後に、スピーカ３７から音を出力させたり、発光素子３８を点滅もしくは点灯させたりする回路であり、本発明の第１の報知手段として用いられている。なお、前述したように、充電台３０の報知回路３４の音声出力および発光は、子機２０の報知回路２４の音声出力および発光と同期して行なわれる。
【００４６】
制御回路３５は、充電回路３２、受信回路３３および報知回路３４と接続されており、充電台３０の接触子３２ａ、３２ｂが子機２０の接触子２２ａ、２２ｂと接触していないこと、すなわち子機２０が充電台３０に載置されていないことを検出してから切断信号の受信を開始させる制御を行なうように形成されている。また、この制御回路３５は、充電開始から一定時間経過後にバッテリ２２の充電を停止するとともに、充電台３０の接触子３２ａ、３２ｂが子機２０の接触子２２ａ、２２ｂと接触したこと、すなわち子機２０が充電台３０に載置され、バッテリ２２の充電が開始されたことを検出したときに音声出力および発光による充電台３０からの報知を停止させる制御を行なうように形成されている。さらに、この制御回路３５は、充電台３０の外部に配設された回転つまみ３６に接続され、受信する切断信号の周波数および報知継続時間を切り替える制御を行なえるように形成されている。そのため、この制御回路３５は、回転つまみ３６とともに、本発明の周波数切替手段および報知継続時間切替手段として用いられる。なお、この回転つまみ３６は、報知に係る音量や発光量の調整をも行えることが好ましい。
【００４７】
図３は、充電台３０の制御回路３５による制御フローを示している。図３に示すように、子機２０の接触子２２ａ、２２ｂが充電台３０の接触子３２ａ、３２ｂから離れることにより、制御回路３５が充電回路３２を介して子機２０の離間を検出すると（Ｓ１１）、制御回路３５に制御された受信回路３３は切断信号の受信を開始する（Ｓ１２）。通信回線が未だ接続状態にあり、子機２０から切断信号が送信されていない場合、受信回路３３は受信状態を維持し続ける（Ｓ１３）。そして、通信回線が切断され、子機２０から切断信号が送信されると（図２のＳ３）、受信回路３３は切断信号を受信し（Ｓ１３）、充電台３０の報知回路３４が音声出力および発光による報知を開始する（Ｓ１４）。
【００４８】
ここで、切断信号の受信から一定時間（例えば５分）経過すると（Ｓ１５）、充電台３０の報知回路３４は音声出力および発光による報知を停止し（Ｓ１６）、受信回路３３は切断信号の送信があるか否かを確認する（Ｓ１７）。受信回路３３が切断信号を受信した場合（Ｓ１７）、報知回路３４は再度報知を開始する（Ｓ１４）。また、受信回路３３が切断信号を受信しない場合（Ｓ１７）、制御回路３５による制御が終了する。
【００４９】
それに対し、切断信号の受信から一定時間経過前においては（Ｓ１５）、制御回路３５は充電台３０の接触子３２ａ、３２ｂが子機２０の接触子２２ａ、２２ｂと接触したか否かにより子機２０の載置の有無を確認する（Ｓ１８）。子機２０の載置があれば（Ｓ１８）、充電台３０からの報知を停止し（Ｓ１９）、制御回路３５による制御は終了する。また、子機２０の載置がなければ（Ｓ１８）、制御回路３５は切断信号の受信から一定時間経過したか否かを確認する（Ｓ１５）。その後においては、前述した内容と同様の制御が行なわれる（Ｓ１５〜Ｓ１９）。
【００５０】
次に、図１から図３を用いて、本実施形態のコードレス電話機１の作用を説明する。
【００５１】
本実施形態のコードレス電話機１は、図１に示すように、前述した親機１０、子機２０および充電台３０を備えている。そして、子機２０は送信回路２３を有しており、充電台３０は制御回路３５に制御された充電回路３２、受信回路３３および報知回路３４を有している。送信回路２３は、図２に示すように、通話終了後に切断信号を送信し（Ｓ１〜Ｓ３）、充電回路３２は、図３に示すように、その接触子３２ａ、３２ｂが子機２０の接触子２２ａ、２２ｂと接触したか否かにより子機２０の載置の検出を行ない（Ｓ１１）、受信回路３３は充電回路３２を制御する制御回路３５が子機２０の載置がないことを認識したときから切断信号の受信を開始する（Ｓ１２）。そして、報知回路３４は、受信回路３３が切断信号を受信したときに当該受信を音および光の出力により外部に報知する（Ｓ１３、Ｓ１４）。これにより、子機２０の載置の有無および切断信号の受信状況に基づいて充電台３０から音を出力させたり、または発光させたりすることができる。そのため、通話が終了して子機２０を充電台３０に戻す際、音声出力または発光を頼りに子機２０を載置させる充電台３０を探すことができる。
【００５２】
ここで、充電台３０は、図１に示すように、子機２０がその充電台３０に載置されたか否かを検出する検出子として充電回路３２の接触子３２ａ、３２ｂを用いている。これにより、検出子および接触子３２ａ、３２ｂを別個独立に形成する必要がなくなるので、接点素子の増加を防止することができ、信頼性を低下させることなく本実施形態の作用を享受することができる。また、充電回路３２の接触子３２ａ、３２ｂを検出子として共用しているので、コードレス電話機１の形状変更を伴わず、製造コストの増加を防止することができる。
【００５３】
また、本実施形態の子機２０は、図１に示すように操作ボタン２６を有しており、図２に示すように、操作ボタン２６の操作により切断信号の送信開始を入力することができるように形成されている（Ｓ２）。したがって、図２に示すように、通話終了時においては、必ず行なわれるであろう通話終了ボタンの操作により通話終了と同時に切断信号を無意識に送信させることができる（Ｓ２）。また、一定時間経過後においては、通話者の入力動作により切断信号の送信を任意に開始させることもできる（Ｓ８）。たとえば、一定時間経過後に子機２０が載置されていた充電台３０を探すときにおいても、通話終了ボタンまたは切断信号送信専用ボタンを操作することにより子機２０の送信回路２３から切断信号を送信することができるので（Ｓ８、Ｓ３）、一定時間経過後においても音声出力または発光を頼りにその子機２０が載置されていた充電台３０を探すことができる。
【００５４】
さらに、本実施形態の子機２０は、図１に示すように、送信回路２３だけでなく、報知回路２４をも備えている。この報知回路２４は、例えば切断信号送信時から一定時間経過後に音声出力および発光がなされるように制御回路２５によって制御されている。そのため、通話者に対して子機２０を充電台３０に載置するように促すことができるので、子機２０のバッテリ２２の充電不足により子機２０が使用できなくなることを防止することができる。
【００５５】
このような子機２０の報知回路２４は、充電台３０の報知回路３４による報知と同期して報知するように制御回路２５により制御されている。オフィスユースの場合、１台の親機１０に対して子機２０および充電台３０が例えば１０組など多数存在する場合があり、多数の子機２０および充電台３０が報知を同時に独立して行なってしまっては、どの充電台３０に通話終了後の子機２０を載置させてよいか悩んでしまう。つまり、子機２０および充電台３０の報知が同期することにより、音声出力または発光している充電台３０が多数あったとしても、その同期状態を頼りに子機２０を載置させる充電台３０を探すことができる。
【００５６】
そして、本実施形態の子機２０においては、図１に示すように、送信回路２３を制御する制御回路２５に操作ボタン２６が接続されている。また、その充電台３０においては、受信回路３３を制御する制御回路３５に回転つまみ３６が接続されている。これら操作ボタン２６および回転つまみ３６は、それらを操作することにより、送信または受信する切断信号の周波数を切り替えることができるように形成されている。したがって、１個の子機２０から送信される特定の周波数の切断信号に対して、受信することができる充電台３０を１個に限定することができるので、充電台３０の個数が多数あったとしても、その子機２０をどの充電台３０に載置させるかを確実に特定することができる。
【００５７】
また、子機２０および充電台３０の各制御回路２５、３５はそれらの各報知回路２４、３４に接続されており、操作ボタン２６および回転つまみ３６は、それらを操作することにより、報知開始時間や報知継続時間を切り替えたりすることができるようにも形成されている。子機２０の使用者以外の者に対しては、子機２０および充電台３０からの報知は不快に感じることが多く、また子機２０の使用者自身においても、子機２０および充電台３０からの報知が長時間継続して行なわれたら不快に感じることが多い。本実施形態の子機および充電台においては、操作ボタン２６および回転つまみ３６からの入力により各種の設定値を変更し、切断信号の受信から一定時間経過後に報知を開始したり、またそれらからの報知を報知開始から一定時間経過内のみに制限することができる。したがって、通話終了後に子機２０を充電台３０に載置させなかったとしても、長時間の報知により不快に感じる音声出力や発光を所定時間経過後に自動的に停止させ、その報知による不快感を軽減させることができる。また、長時間の報知により生じる無駄な消費電力を抑えることもできる。
【００５８】
もちろん、子機２０および充電台３０からの報知が停止してしまうと、音声出力または発光を頼りにその子機２０が載置されていた充電台３０を探したり、子機２０を充電台３０に載置させることを促すことができなくなってしまうが、本実施形態の子機２０においては、図２に示すように、操作ボタン２６からの入力により切断信号を再度送信することができるようになっているので（Ｓ８、Ｓ３）、その心配もない。つまり、操作ボタン２６の入力により切断信号の送信開始を入力すれば、一定時間経過後に自動的に報知が停止したとしても、図３に示すように充電台３０からの報知を再度行なうことができる（Ｓ１７）。
【００５９】
この切断信号の送受信を行なう送信回路２３および受信回路３３は、ブルートゥース技術を用いて形成されている。ブルートゥース技術は携帯機器の無線通信を行なうために開発された技術であり、そのブルートゥース技術を利用することにより、送信回路２３および受信回路３３を小型および軽量にすることができるだけでなく、その消費電力を少なくすることができる。したがって、送信回路２３および受信回路３３を配設しても、配設スペースの確保のために子機や充電台の形状を変更したり、子機２０および充電台３０の駆動電圧を余分に確保する必要がないので、コードレス電話機１の設計を大きく変更することなく前述した本実施形態の作用を享受することができる。
【００６０】
そして、子機２０および充電台３０の各報知回路２４、３４は、図２および図３に示すように、子機２０が充電台３０に載置され、子機２０のバッテリ２２の充電が開始されたときに報知を停止させるように制御されている（Ｓ９、Ｓ１８）。つまり、バッテリ２２の充電開始に連動させて充電台３０の報知が自動的に停止される。これにより、子機２０の使用者は子機２０を充電台３０に載置させるだけで充電台３０の報知を停止させることができ、充電台３０の探索を悩むことなく無事に終了させることができる。
【００６１】
すなわち、本実施形態のコードレス電話機１によれば、通話が終了して子機２０を充電台３０に戻す際、その子機２０が載置されていた充電台３０が通話終了後に音声出力または発光し、その音声出力または発光を頼りにその充電台３０を探すことができるので、通話終了後に子機２０をどの充電台３０に載置させるかを悩まずに判断することができるという効果を奏する。
【００６２】
なお、本発明は、前述した実施形態などに限定されるものではなく、必要に応じて種々の変更が可能である。
【００６３】
例えば、本実施形態の子機２０においては、無線接続回路２１と送信回路２３とを別個独立に形成しているが、他の実施形態においては、無線接続回路２１に送信回路２３を内蔵させ、それらを１つの無線接続回路として子機を形成することもできる。その際には、子機の無線接続回路から本実施形態のように切断信号を送信することができる。同様に、送信回路２３の機能を無線接続回路２１に兼用させて、無線接続回路２１からの通信を終了する信号を切断信号として利用し、受信回路３３で受信できるようにしてもよい。
【図面の簡単な説明】
【００６４】
【図１】本実施形態のコードレス電話機を概念的に示すブロック図
【図２】本実施形態の子機の制御回路による制御フロー
【図３】本実施形態の充電台の制御回路による制御フロー
【符号の説明】
【００６５】
１  コードレス電話機  
１０  親機
２０  子機
２２  バッテリ
２２ａ、２２ｂ  接触子
２３  送信回路
２４  報知回路
２５  制御回路
２６  操作ボタン
３０  充電台
３２  充電回路
３２ａ、３２ｂ  接触子
３３  受信回路
３４  報知回路
３５  制御回路
３６  回転つまみ
【図１】
2008028821.tif 000003
【図２】
2008028821.tif 000004
【図３】
2008028821.tif 000005